(57)【要約】      （修正有）【課題】従来の描画ツールや図面作成ツールにおいては、点や線の描画、点ポイントや方向線ポイント、移動操作等、多くのポイント操作と共に、ドラッグ、ドロップ操作が発生し、一日に何千回も操作される為に、ずれや肩凝り等の問題が発生している。【解決手段】手で操作するマウス及び／又は入力するキーボードとディスプレーとコンピュータ本体とを夫々電気的に接続させたコンピュータシステムにおいて、足で操作できる足用入力装置とコンピュータ本体又はマウスとを電気的に接続させ、マウスとキーボードと足用入力装置とを併用できる構造としたもので、足用入力装置は、基板上に押下台を形設し、押下台にスイッチ用穴を形成し、スイッチ用穴の基板上にマイクロスイッチを設け、マイクロスイッチに底部を接触離間させてオンオフさせる押下ボタンの頂部を押下台の上面より突出させて備えた。【選択図】図１
0003128889.tif 000002
【実用新案登録請求の範囲】
【請求項１】
手で操作するマウス及び／又は入力するキーボードとディスプレーとコンピュータ本体とを夫々電気的に接続させたコンピュータシステムにおいて、足で操作できる足用入力装置と前記コンピュータ本体又は前記マウスとを電気的に接続させ、前記マウスと前記キーボードと前記足用入力装置とを併用できる構造としたことを特徴とする足用入力装置と組み合わせたポインティング装置。
【請求項２】
前記足用入力装置は、基板上に薄函状の押下台を形設し、該押下台にスイッチ用穴を形成し、該スイッチ用穴の中心の基板上にマイクロスイッチを設け、該マイクロスイッチに底部を接触離間させてオンオフさせる押下ボタンの頂部を押下台の上面より突出させて備えたことを特徴とする請求項１に記載の足用入力装置と組み合わせたポインティング装置。
【請求項３】
前記足用入力装置は、基板上に薄函状の押下台を形設し、該押下台にホイール用穴を形成し、該ホイール用穴に回動且つ上下動可能に回動軸に軸着されたホイールの頂部を押下台より突出させて備え、前記基板上にマイクロスイッチを設け、該マイクロスイッチに前記ホイールを上下することにより接触離間をしてマイクロスイッチをオンオフする押下ボタンを垂設すると共に、前記ホイールの近傍に発光部と受光部とを配設してホイールの回動を検知できる構造としたことを特徴とする請求項１に記載の足用入力装置足用入力装置と組み合わせたポインティング装置。
【請求項４】
前記足用入力装置は、薄函状の可動押下台を形設し、該可動押下台の端辺の下方に複数のキャスターを上下動可能に突設し、該複数のキャスターの内側の可動押下台の下面に移動規制する規制枠体を垂設させると共に、床面と可動押下台の規制枠体内の移動を検知できる発光部と受光部とを配設した構造としたことを特徴とする請求項１に記載の足用入力装置足用入力装置と組み合わせたポインティング装置。
【考案の詳細な説明】
【技術分野】
【０００１】
本考案は、パーソナルコンピュータ等の足用入力装置と組み合わせたポインティング装置に関するものであり、更に詳細には、ポイントは手でボタン操作は足で入力、又は、ポイントは足でボタン操作は手でできる足用入力装置と組み合わせたポインティング装置に関するものである。
【背景技術】
【０００２】
一般的に、パーソナルコンピュータ等の入力装置としてマウスがあるが、従来、マウスは手のみで操作しているものであり、また、フット用マウスとして足のみでマウスと同様にクリック、ダブルクリック、ポイントの移動等を行っているものであるが、手又は足の何れが操作するようになっている。
【０００３】
また、片手でポイント移動、反対の手でクリック等のボタン操作を行っているものもあるが、両手をマウス操作に取られると共に、両肩をロックした状態となり、身体の自由度が制限されるものである。
【０００４】
他には、ジョィスティックやトラックボール等があるが、ポインティング装置の素早さや正確さでは、従来の移動方式が有効なように思えるものである。
【０００５】
また、従来の描画ツールや図面作成ツール（ＣＡＤ等）においては、点オブジェクトや線セグメントの描画、点ポイントのポイントや方向線のポイント、又それらの移動操作等、多くのポイント操作と共に、ドラッグ、ドロップ操作が発生するものであり、特に、ドラッグ操作は点ポイント等をポイントし、一般的に左ボタンを押しながら、マウスを移動する操作であり、描画や図面作成時には一日に何千回も操作されるものである。
【０００６】
その為に、不慣れな人や、なじまない人にとっては、先ず、（１）点ポイントにポイントして、左ボタンを押す際に、ポイントがずれることがあり、また、（２）ボタンを押したままのマウスの移動は移動しにくく正確さに欠けるもので、更には、（３）ボタンを放すドロップ操作においても、ボタンを放す際にポイントがずれる等の問題が発生している実情である。
【０００７】
これらの原因は、ボタンを押す操作、ボタンを放す操作、ボタンを移動する操作、ポイントする操作を一緒にしなければ成らず、その為、ベテランになると、肩から手にかけての微妙なコントロールを駆使して素早く行うことができるが、これらの操作の連続性から慢性的に手首の炎症や肩凝りが発生している実情であり、肩凝りから、頭痛等に至りストレスの要因とも成っていると言える。
【０００８】
例えば、先に開示されている、足に装着出来るマウスをマウス敷き盤上に滑動自在に設置し、このマウスと並設したスイッチ台９にマウスのスイッチを設け、これに足用枕１５を頂部に設けた足掛け台１６等の足操作補助具を着脱自在に設けた、足操作式コンピューター入力装置（特許文献１参照）や、コンピュータにデータを入力する足操作型入力装置１において、足裏前半分と略同形状に形成される本体２と、本体２の前方両側面に設けられる第一及び第二の入力部３，４と、本体２下面に設けられかつデータ入力画面上のマウスポインタ位置を操作する転動可能な位置操作部６ａとを有し、本体２前方上には足の指で挟持可能な突起部５を具備するもの（特許文献２参照）や、Ｘ方向、Ｙ方向の移動量を検出するための二つのローラ軸２ｘ、２ｙと、各ローラ軸２ｘ、２ｙの回転量を検出する検出部３と、各ローラ軸２ｘ、２ｙの先端部に取付けられる第１、第２プーリ３１、３２と、各プーリ３１、３２に回転駆動力を伝達する入力部４を設け、この入力部４として、第１、第２の巻掛け伝動機構５、６を主体とするメカニカル機構を採用するもの（特許文献３参照）がある。
【特許文献１】特開２０００−２９６２８号公報
【特許文献２】特開２００５−３８３８７号公報
【特許文献３】特開２００５−１７４１５７号公報
【考案の開示】
【考案が解決しようとする課題】
【０００９】
然し乍ら、特許文献１〜３に開示されているものは、手で使用するマウスを足で使用するマウスに改造したものであり、手に障害を有する人達には好適なものであるが、手で行う操作の一部を足に負担させる構成には成っていないものである。
【課題を解決するための手段】
【００１０】
本考案の足用入力装置と組み合わせたポインティング装置は、前述の課題に鑑み、鋭意研鑽の結果、請求項１に記載のものは、手で操作するマウス及び／又は入力するキーボードとディスプレーとコンピュータ本体とを夫々電気的に接続させたコンピュータシステムにおいて、足で操作できる足用入力装置とコンピュータ本体又はマウスとを電気的に接続させ、マウスとキーボードと足用入力装置とを併用できる構造としたものである。
【００１１】
更に、請求項２に記載したものの、足用入力装置は、基板上に押下台を形設し、押下台にスイッチ用穴を形成し、スイッチ用穴の基板上にマイクロスイッチを設け、マイクロスイッチに底部を接触離間させてオンオフさせる押下ボタンの頂部を押下台の上面より突出させて備えたものである。
【００１２】
更には、請求項３に記載したものの、足用入力装置は、基板上に押下台を形設し、押下台にホイール用穴を形成し、ホイール用穴に回動且つ上下動可能に回動軸に軸着されたホイールを押下台より突出させて備え、基板上にマイクロスイッチを設け、マイクロスイッチにホイールを上下することにより接触離間をしてマイクロスイッチをオンオフする押下ボタンを垂設すると共に、ホイールの近傍に発光部と受光部とを配設してホイールの回動を検知できる構造としたものである。
【００１３】
加えて、請求項４に記載したものの、足用入力装置は、薄函状の可動押下台を形設し、可動押下台の端辺の下方に複数のキャスターを上下動可能に突設し、複数のキャスターの内側の可動押下台の下面に移動規制する規制枠体を垂設させると共に、床面と可動押下台の規制枠体内の移動を検知できる発光部と受光部とを配設した構造としたものである。
【考案の効果】
【００１４】
本考案の足用入力装置と組み合わせたポインティング装置は、手で操作するマウス及び／又は入力するキーボードとディスプレーとコンピュータ本体とを夫々電気的に接続させたコンピュータシステムにおいて、足で操作できる足用入力装置とコンピュータ本体又はマウスとを電気的に接続させ、マウスとキーボードと足用入力装置とを併用できる構造としたものであり、手で操作するマウスと足で操作できる足用入力装置とを併用できるため手や肩にかかる負担が軽減され、従って、肩凝りや腱鞘炎等の使用過多による肉体的な疲労が軽減されるもので、実用性の高い考案である。
【考案を実施するための最良の形態】
【００１５】
以下、本考案の足用入力装置と組み合わせたポインティング装置の実施例の図面によって具体的に説明すると、図１は本考案の足用入力装置と組み合わせたポインティング装置の実施例を説明するため使用状態の説明図であり、図２は本考案の足用入力装置と組み合わせたポインティング装置の実施例の足用入力装置の要部断面図であり、図３は本考案の足用入力装置と組み合わせたポインティング装置の次実施例の足用入力装置の要部斜視説明図であり、図４は本考案の足用入力装置と組み合わせたポインティング装置の次実施例の足用入力装置の使用状態の要部斜視説明図であり、図５は本考案の足用入力装置と組み合わせたポインティング装置の他の実施例を説明するため使用状態の説明図であり、図６は本考案の足用入力装置と組み合わせたポインティング装置の他の実施例の押下状態の一部断面とした側面図であり、図７は本考案の足用入力装置と組み合わせたポインティング装置の他の実施例の解放状態の一部断面とした側面図である。
【００１６】
本考案は、パーソナルコンピュータ等の足用入力装置と組み合わせたポインティング装置に関するものであり、更に詳細には、ポイントは手Ａでボタン操作は足Ｂで入力、又は、ポイントは足Ｂでボタン操作は手Ａでできる足用入力装置と組み合わせたポインティング装置に関するものであり、請求項１に記載の足用入力装置と組み合わせたポインティング装置は、手Ａで操作するマウスＣ及び／又は入力するキーボードＤとディスプレーＥとコンピュータ本体Ｆとを夫々電気的に接続させたコンピュータシステムにおいて、足Ｂで操作できる足用入力装置１０．２０．３０と前記コンピュータ本体Ｆ又は前記マウスＣとを電気的に接続させ、前記マウスＣと前記キーボードＤと前記足用入力装置１０．２０．３０とを併用できる構造としたことを特徴とするものである。
【００１７】
更に、請求項２に記載の足用入力装置と組み合わせたポインティング装置は、請求項１に記載の足用入力装置と組み合わせたポインティング装置において、前記足用入力装置１０は、基板１１上に薄函状の押下台１２を形設し、該押下台１２にスイッチ用穴１３を形成し、該スイッチ用穴１３の中心の基板１１上にマイクロスイッチ１４を設け、該マイクロスイッチ１４に底部を接触離間させてオンオフさせる押下ボタン１６の頂部１６ｂを押下台１２の上面より突出させて備えたことを特徴とするものである。
【００１８】
更には、請求項３に記載の足用入力装置と組み合わせたポインティング装置は、請求項１に記載の足用入力装置と組み合わせたポインティング装置において、前記足用入力装置２０は、基板２１上に薄函状の押下台２２を形設し、該押下台２２にホイール用穴２２ａを形成し、該ホイール用穴２２ａに回動且つ上下動可能に回動軸２３ａに軸着されたホイール２３の頂部を押下台２２より突出させて備え、前記基板２１上にマイクロスイッチ２４を設け、該マイクロスイッチ２４に前記ホイール２３を上下することにより接触離間をしてマイクロスイッチ２４をオンオフする押下ボタン２５を垂設すると共に、前記ホイール２３の近傍に発光部２６と受光部２７とを配設してホイール２３の回動を検知できる構造としたことを特徴とするものである。
【００１９】
加えて、請求項４に記載の足用入力装置と組み合わせたポインティング装置は、請求項１に記載の足用入力装置と組み合わせたポインティング装置において、前記足用入力装置３０、薄函状の可動押下台３１を形設し、該可動押下台３１の端辺の下方に複数のキャスター３２を上下動可能に突設し、該複数のキャスター３２の内側の可動押下台３１の下面に移動規制する規制枠体３１ａを垂設させると共に、床面と可動押下台３１の規制枠体３１ａ内の移動を検知できる発光部３３と受光部３４とを配設した構造としたことを特徴とするものである。
【実施例】
【００２０】
即ち、本考案の足用入力装置と組み合わせたポインティング装置を実施するコンピュータシステムとは、汎用されているパーソナルコンピュータ等であり、コンピュータ本体Ｆに、手Ａでポイントやドラッグ、ドロップ等を操作するマウスＣと、手Ａで多数のキーで文字や数字等を入力するキーボードＤと、絵や文字等を目視するための液晶、ＣＲＴ等のディスプレーＥとを夫々ケーブルで電気的に接続させているものである。
【００２１】
そして、足Ｂで操作できる足用入力装置１０．２０．３０は、コンピュータ本体Ｆ又はマウスＣとに電気的に接続させているものであり、足用入力装置の入力信号は直接コンピュータ本体Ｆに入力されるか、又は、マウスＣを介してコンピュータ本体Ｆに入力されるものである。
【００２２】
つまり、手Ａで操作するマウスＣと、足Ｂで操作する足用入力装置１０．２０．３０とが併用できる構造としたものであり、手Ａで文字等を入力するキーボードＤは従来と同様に使用するものである。
【００２３】
更に、図２に図示する実施例の足用入力装置１０の基板１１は、板状のもので上方に後述する押下台１２を形設しており、人間の足Ｂで操作するために机Ｇの下方の床面に載置されているものである。
【００２４】
更には、押下台１２は基板１１の上に形設された薄函状のもので、押下台１２の上面には後述する押下ボタン１６の頂部１６ｂを突出させて足Ｂの裏で押下するものである。
【００２５】
次に、スイッチ用穴１３は、押下台１２に形成しているもので、後述するマイクロスイッチ１４やコイルスプリング１５を内装させると共に、押下ボタン１６の頂部１６ｂを突出させているもので、図１に図示する実施例では、２ヵ所に設けて両足Ｂで操作するものであるが、１ヵ所でも構わないものである。
【００２６】
次いで、マイクロスイッチ１４は、スイッチ用穴１３の中心の基板１１上にを固定されているもので、後述する押下ボタン１６を押下することによりＯＮされ、解放されることによりＯＦＦと成るものである。
【００２７】
更に、コイルスプリング１５は、マイクロスイッチ１４の胴周辺の基板１１の上のスイッチ用穴１３の内周壁に内包されるように配設されており、後述する押下ボタン１６の底部１６ａをマイクロスイッチ１４の頂部から絶えず離間させるように弾性を上方に付与しているものである。
【００２８】
更には、押下ボタン１６は、円柱状の下方をスイッチ用穴１３に挿通した状態で、底部１６ａがスイッチ用穴１３に内装したコイルスプリング１５の上端に支持され、押下ボタン１６の頂部１６ｂは拡径した略半球状のものでスイッチ用穴１３から突出させており、押下ボタン１６を押下又は解放することで、コイルスプリング１５の弾性により接触離間をしマイクロスイッチ１４をオンオフさせるものである。
【００２９】
そして、図３〜図４に図示する次実施例の足用入力装置２０の基板２１は、板状のもので上方に後述する押下台２２を形設しており、床面に載置されるものである。
【００３０】
更に、押下台２２は前記基板２１の上に形設された薄函状のもので、上面には後述するホイール２３の頂部を突出させて足Ｂの裏で押下、解放又は回動させるものである。
【００３１】
更には、ホイール用穴２２ａは、押下台２２に形成している長穴状のもので、後述するホイール２３の頂部を押下台２２の上面に突出させるものである。
【００３２】
次に、ホイール２３は、円板状のもので、回動且つ上下動可能に回動軸２３ａに軸着されており、頂部は足Ｂで操作できるように、押下台２２の上面にホイール用穴２２ａより突出させているものである。
【００３３】
次いで、マイクロスイッチ２４は、基板２１上に固定されているもので、後述する押下ボタン２５を押下することによりＯＮされ、解放されることにより、ＯＦＦと成るものである。
【００３４】
次に、押下ボタン２５は、ホイール２３が固定された回動軸２３ａを回転可能に軸着させたスライダー２８を介装して垂設させているもので、ホイール２３を上下することにより弾性体（図示しない）を介装してマイクロスイッチ２４に接触離間をし、マイクロスイッチ２４をオンオフするものである。
【００３５】
更には、スリット２３ｂは、ホイール２３に一定間隔で放射状に多数穿設しているもので、後述する発光部２６と受光部２７とによりホイール２３の回動を検知するためのものである。
【００３６】
更に、発光部２６と受光部２７とは、ホイール２３の両側に配設して、ホイール２３に一定間隔で放射状に穿設した多数のスリット２３ｂの回動を検知できる構造としたもので、発光部２６からの光線がスリット２３ｂを透光したら受光部２７により検知するものである。
【００３７】
そして、図５〜図７に図示する他の実施例の足用入力装置３０の可動押下台３１は、中空短円柱状に形成しているもので、上面には足Ｂの底面で移動が容易に行えるように若干膨出した滑り止めを配設すると共に、下面には後述する複数のキャスター３２と規制枠体３１ａを突設させているものである。
【００３８】
次に、複数のキャスター３２は、可動押下台３１の端辺の下方に夫々コイルスプリング３２ａを介装して上下動可能に突設していもので、可動押下台３１を安定して水平状態で維持できる数でよく、３〜５個配設するのが好適なものである。
【００３９】
次いで、規制枠体３１ａは、可動押下台３１に配設したの複数のキャスター３２の内側の可動押下台３１の下面に垂設させた略短円筒状もので、後述する発光部３４と受光部３５とに対して可動押下台３１の移動を規制させるものである。
【００４０】
更に、基板３３は、床面に載置した板状のもので、上面には膨出させて発光部３４と受光部３５とを配設しているもので、可動押下台３１が下面に垂設した規制枠体３１ａの内側を移動するものであるが、その移動量を発光部３４より発光された光が反射面３６に反射して受光部３５により検知できる構造としたもので、発光部３４より発光された光は可動押下台３１を押下した状態で反射面３６の光が受光部３５に届くように配置されており、押下しないで可動押下台３１を移動しても発光部３４に受光されないものである。
【産業上の利用可能性】
【００４１】
本考案の足用入力装置と組み合わせたポインティング装置は、コンピュータシステムにおいて、足で操作できる足用入力装置とコンピュータ本体Ｆ又はマウスとを電気的に接続させ、マウス、又は、マウスとキーボードと足用入力装置とを併用できる構造としたものであり、手で操作するマウスと足で操作できる足用入力装置とを併用できるため手や肩にかかる負担が軽減され、従って、肩凝りや腱鞘炎等の使用過多による肉体的な疲労が軽減される足用入力装置と組み合わせたポインティング装置を提供するものである。
【図面の簡単な説明】
【００４２】
【図１】図１は本考案の足用入力装置と組み合わせたポインティング装置の実施例を説明するため使用状態の説明図である。
【図２】図２は本考案の足用入力装置と組み合わせたポインティング装置の実施例の足用入力装置の要部断面図である。
【図３】図３は本考案の足用入力装置と組み合わせたポインティング装置の次実施例の足用入力装置の要部斜視説明図である。
【図４】図４は本考案の足用入力装置と組み合わせたポインティング装置の次実施例の足用入力装置の使用状態の要部斜視説明図である。
【図５】図５は本考案の足用入力装置と組み合わせたポインティング装置の他の実施例を説明するため使用状態の説明図である。
【図６】図６は本考案の足用入力装置と組み合わせたポインティング装置の他の実施例の押下状態の一部断面とした側面図である。
【図７】図７は本考案の足用入力装置と組み合わせたポインティング装置の他の実施例の解放状態の一部断面とした側面図である。
【符号の説明】
【００４３】
Ａ      手
Ｂ      足
Ｃ      マウス
Ｄ      キーボード
Ｅ      ディスプレー
Ｆ      コンピュータ本体
１０    足用入力装置
１１    基板
１２    押下台
１３    スイッチ用穴
１４    マイクロスイッチ
１５    コイルスプリング
１６    押下ボタン
１６ａ  底部
１６ｂ  頂部
２０    足用入力装置
２１    基板
２２    押下台
２２ａ  ホイール用穴
２３    ホイール
２３ａ  回動軸
２３ｂ  スリット
２４    マイクロスイッチ
２５    押下ボタン
２６    発光部
２７    受光部
２８    スライダー
３０    足用入力装置
３１    可動押下台
３１ａ  規制枠体
３２    キャスター
３２ａ  コイルスプリング
３３    基板
３４    発光部
３５    受光部
３６    反射面
【図１】
0003128889.tif 000003
【図２】
0003128889.tif 000004
【図３】
0003128889.tif 000005
【図４】
0003128889.tif 000006
【図５】
0003128889.tif 000007
【図６】
0003128889.tif 000008
【図７】
0003128889.tif 000009